【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
行列上に配置され、第１光電変換部および第２光電変換部をそれぞれが有する複数の画素を含む画素部と、
前記第１光電変換部で生じた電荷に基づく第１アナログ信号を第１デジタル信号に変換し、前記第１光電変換部で生じた電荷に基づく信号および前記第２光電変換部で生じた電荷に基づく信号が加算されることで得られる第２アナログ信号を第２デジタル信号に変換し、ノイズ信号を第３デジタル信号に変換する、アナログデジタル変換部と、
前記第１デジタル信号、前記第２デジタル信号、および前記第３デジタル信号を保持するメモリ部と、
前記メモリ部に保持された前記第１デジタル信号、前記第２デジタル信号、および前記第３デジタル信号の少なくとも１つが出力される出力信号線と、
を備え、
前記画素部の第１画素行の画素に対する第１の読み出し動作と、前記画素部の第１画素行の次に読みだされる第２画素行の画素に対する第２の読み出し動作とを行い、
前記第１の読み出し動作において、前記第１デジタル信号、前記第２デジタル信号、および前記第３デジタル信号が、前記アナログデジタル変換部から前記メモリ部に保持され、その後、前記メモリ部から前記出力信号線に出力され、
前記第２の読み出し動作において、前記第１デジタル信号、前記第２デジタル信号、および前記第３デジタル信号が、前記アナログデジタル変換部から前記メモリ部に保持され、その後、前記第１デジタル信号を除く、前記第２デジタル信号および前記第３デジタル信号が、前記メモリ部から前記出力信号線に出力される固体撮像装置。
【請求項２】
前記第１画素行の全ての列の画素の、前記ノイズ信号、前記第１アナログ信号および前記第２アナログ信号が、第１期間において、それぞれ、前記第３デジタル信号、前記第１デジタル信号、および前記第２デジタル信号にアナログデジタル変換され、
前記第１期間と同じ長さの第２期間において、前記第２画素行の全ての列の画素の、前記ノイズ信号、前記第１アナログ信号および前記第２アナログ信号が、それぞれ、前記第３デジタル信号、前記第１デジタル信号、および前記第２デジタル信号にアナログデジタル変換される請求項１に記載の固体撮像装置。
【請求項３】
前記メモリ部から前記出力信号線への出力を制御する読み出し信号を前記メモリ部に供給する走査部を有し、
前記走査部が前記読み出し信号を出力する周期は、前記第１期間の開始から前記第２期間の終了までの長さの期間において、一定である請求項２に記載の固体撮像装置。
【請求項４】
前記第２期間において、
前記第１期間において保持された前記第１デジタル信号および前記第３デジタル信号が前記出力信号線に出力され、かつ前記第１期間において保持された前記第２デジタル信号、および前記第２期間に生成された第３デジタル信号が保持される請求項３に記載の固体撮像装置。
【請求項５】
前記第１画素行の複数の列の画素の前記第１デジタル信号および前記第３デジタル信号が前記出力信号線に出力されている間に、前記第２画素行の画素の前記第３デジタル信号への変換が開始される請求項１乃至４のいずれか１項に記載の固体撮像装置。
【請求項６】
前記第１画素行の複数の列の画素の前記第２デジタル信号および前記第３デジタル信号が前記出力信号線に出力されている間に、前記第２画素行の画素の前記第３デジタル信号への変換が開始される請求項１乃至４のいずれか１項に記載の固体撮像装置。
【請求項７】
画素からのアナログ信号をデジタル信号に変換するアナログデジタル変換部と、
前記アナログデジタル変換部に接続されたメモリ部と、
を備え、
前記メモリ部は、
前記アナログデジタル変換部の出力端子と接続された入力端子を有する第１メモリと、
前記第１メモリの出力端子と接続された入力端子を有する第２メモリと、
前記第２メモリの出力端子と接続された入力端子と、第１出力信号線と接続された出力端子を有する第３メモリと、
前記第１メモリの出力端子と接続された入力端子、および前記第２メモリの出力端子と接続された入力端子を有する選択回路と、
前記選択回路の出力端子と接続された入力端子と、前記第１出力信号線とは異なる第２出力信号線と接続された出力端子を有する第４メモリと、を有するアナログデジタル変換器。
【請求項８】
前記第１メモリと前記第３メモリの間に接続される第５メモリを有する請求項７に記載のアナログデジタル変換器。
【請求項９】
画素からのアナログ信号をデジタル信号に変換するアナログデジタル変換部と、
前記アナログデジタル変換部に接続されたメモリ部と、
を備え、
前記メモリ部は、
前記アナログデジタル変換部の出力端子と接続された入力端子を有する第１メモリと、
前記第１メモリの出力端子と接続された入力端子を有する第２メモリと、
前記第２メモリの出力端子と接続された入力端子と、第１出力信号線と接続された出力端子を有する第３メモリと、
前記第２メモリの出力端子と接続された入力端子と、前記第１出力信号線とは異なる第２出力信号線と接続された出力端子を有する第４メモリと、を有するアナログデジタル変換器。
【請求項１０】
行列上に配置され、第１光電変換部および第２光電変換部をそれぞれが有する複数の画素を含む画素部と、
請求項７乃至９のいずれか１項に記載のアナログデジタル変換器と、を有する固体撮像装置。
【請求項１１】
前記アナログデジタル変換部は、前記第１光電変換部で生じた電荷に基づく第１アナログ信号を第１デジタル信号に変換し、前記第１光電変換部で生じた電荷に基づく信号および前記第２光電変換部で生じた電荷に基づく信号が加算されることで得られる第２アナログ信号を第２デジタル信号に変換し、ノイズ信号を第３デジタル信号に変換し、
前記画素部の第１画素行の画素に対する第１の読み出し動作と、前記画素部の第１画素行の次に読みだされる第２画素行の画素に対する第２の読み出し動作とを行い、
前記第１画素行の全ての列の画素の、前記第３デジタル信号、前記第１デジタル信号、および前記第２デジタル信号が、第１期間において生成され、
前記第１期間と同じ長さの第２期間において、前記第２画素行の全ての列の画素の、前記第３デジタル信号、前記第１デジタル信号、および前記第２デジタル信号が生成される請求項１０に記載の固体撮像装置。
【請求項１２】
前記メモリ部からの出力が入力される出力信号線を有し、
前記メモリ部から前記出力信号線への出力を制御する読み出し信号を前記メモリ部に入力する水平走査部を有し、
前記水平走査部が出力する読み出し信号が出力される周期は、前記第１期間の開始から前記第２期間の終了までの長さの期間において、一定である請求項１１に記載の固体撮像装置。
【請求項１３】
前記第１光電変換部および前記第２光電変換部に入射する光は１つのマイクロレンズを通過するよう配された前記マイクロレンズを有する請求項１乃至６及び１０乃至１２のいずれか１項に記載の固体撮像装置。
【請求項１４】
請求項１乃至６及び１０乃至１３のいずれか１項に記載の固体撮像装置と、
前記固体撮像装置の前記画素から出力される信号を処理する信号処理部と
を有する撮像システム。
【請求項１５】
請求項１乃至６及び１０乃至１３のいずれか１項に記載の固体撮像装置と、
前記固体撮像装置の前記第１デジタル信号、前記第２デジタル信号、および前記第３デジタル信号を用いて焦点検出を行い、前記第２デジタル信号および前記第３デジタル信号を用いて画像形成を行う信号処理部と、
を有する撮像システム。
【請求項１６】
請求項１乃至６及び１０乃至１３のいずれか１項に記載の固体撮像装置と、
前記固体撮像装置からの信号に基づく視差画像から、対象物までの距離情報を取得する距離情報取得手段と、
を有する移動体。
【手続補正２】
【補正対象書類名】明細書
【補正対象項目名】０００６
【補正方法】変更
【補正の内容】
【０００６】
本発明の一の態様は、行列上に配置され、第１光電変換部および第２光電変換部をそれぞれが有する複数の画素を含む画素部と、前記第１光電変換部で生じた電荷に基づく第１アナログ信号を第１デジタル信号に変換し、前記第１光電変換部で生じた電荷に基づく信号および前記第２光電変換部で生じた電荷に基づく信号が加算されることで得られる第２アナログ信号を第２デジタル信号に変換し、ノイズ信号を第３デジタル信号に変換する、アナログデジタル変換部と、前記第１デジタル信号、前記第２デジタル信号、および前記第３デジタル信号を保持するメモリ部と、前記メモリ部に保持された前記第１デジタル信号、前記第２デジタル信号、および前記第３デジタル信号の少なくとも１つが出力される出力信号線と、を備え、前記画素部の第１画素行の画素に対する第１の読み出し動作と、前記画素部の第１画素行の次に読みだされる第２画素行の画素に対する第２の読み出し動作とを行い、前記第１の読み出し動作において、前記第１デジタル信号、前記第２デジタル信号、および前記第３デジタル信号が、前記アナログデジタル変換部から前記メモリ部に保持され、その後、前記メモリ部から前記出力信号線に出力され、前記第２の読み出し動作において、前記第１デジタル信号、前記第２デジタル信号、および前記第３デジタル信号が、前記アナログデジタル変換部から前記メモリ部に保持され、その後、前記第１デジタル信号を除く、前記第２デジタル信号および前記第３デジタル信号が、前記メモリ部から前記出力信号線に出力される固体撮像装置に関する。